(57)【要約】コンパクトな三脚（１）は、スパイダー（３）に収束し、対応したヒンジ手段（１３）とカウンター手段（１５）とによって一端部がスパイダー（３）に枢支されている少なくとも３つの脚部（２）と、この三脚（１）が作用位置に開いているときに、支持部（５）が脚部（２）の反対側でスパイダー（３）から突出するように所定の位置でスパイダーに装着された、ヘッド（６）のための支持部（５）とを有している。前記ヒンジ手段（１３）とカウンター手段（１５）とは、三脚（１）が非作用位置に閉じているときに、脚部（２）が、支持部（５）の部分から折られ得るように設計されている。さらに、前記ヒンジ手段（１３）とカウンター手段（１５）とは、係合手段（２７，２８）と、この係合手段のための対応したストッパー手段とを有し、これら係合手段とストッパー手段とは、脚部（２）がスパイダー（３）に対して開く程度を制限するように相互作用することができる。
2007518124.tif 000002
【特許請求の範囲】
【請求項１】
コンパクトな三脚（１）であって、スパイダー（３）に収束し、対応したヒンジ手段（１３）とカウンター手段（１５）とによって一端部が前記スパイダー（３）に枢支されている少なくとも３つの脚部（２）と、この三脚（１）が作用位置に開いているときに、支持部（５）が前記脚部（２）の反対側で前記スパイダー（３）から突出するように所定の位置で前記スパイダー（３）に装着された、ヘッド（６）のための支持部（５）とを具備し、前記ヒンジ手段（１３）とカウンター手段（１５）とは、三脚（１）が非作用位置に閉じているときに、前記脚部（２）が、前記支持部（５）の部分から折られ得るように設計されている三脚において、前記ヒンジ手段（１３）とカウンター手段（１５）とは、係合手段（２７，２８）と、この係合手段（２７，２８）のための対応したストッパー手段とを有し、これら係合手段とストッパー手段とは、前記脚部（２）が前記スパイダー（３）に対して開く程度を制限するように相互作用することができることを特徴とする三脚。
【請求項２】
前記ヒンジ手段（１３）とカウンター手段（１５）とは、前記脚部（２）とスパイダー（３）との間を９０°以上の角度で相対的に回動可能なように設計されている請求項１の三脚（１）。
【請求項３】
前記ヒンジ手段（１３）とカウンター手段（１５）とは、前記脚部（２）とスパイダー（３）との間を９０°ないし約１８０°の角度で相対的に回動可能なように設計されている請求項２の三脚（１）。
【請求項４】
前記係合手段（２７，２８）は、前記スパイダー（３）と一体的なヒンジスリーブ（１３）に互いに角度をなしてオフセットされている複数の歯部（２７，２８）を有しており、前記ストッパー手段は、前記脚部が開かれる角度を制限するように前記歯部（２７，２８）の１つに当接するのを選択的に干渉するような位置へと前記脚部（２）に移動されることができるショルダー部（３３）を有したレバー（２５）を備えている前記全ての請求項のいずれか１の三脚（１）。
【請求項５】
前記複数の歯部（２７，２８）は、前記ヒンジスリーブ（１３）と同軸の突出部に位置されている請求項４の三脚（１）。
【請求項６】
前記ストッパー手段が自由な長さ部（２９）に位置されているときに、前記脚部（２）が作用位置と非作用位置との間で折られ得るように、自由な長さ部（２９）が、前記ストッパー手段を干渉しない前記ヒンジスリーブ（１３）に設けられている請求項４又は５の三脚（１）。
【請求項７】
前記レバー（２５）には、前記脚部（２）が作用位置にあるときに前記スパイダー（３）の外部からアクセス可能な動作付属部（３０）が設けられる請求項４ないし６のいずれか１の三脚（１）。
【請求項８】
前記レバー（２５）は、前記自由な長さ部（２９）から離れた側の歯部（２７）と係合する位置に向けて弾性的に付勢されている請求項４ないし７のいずれか１の三脚。
【請求項９】
前記支持部（５）は、調節可能な方法で前記スパイダー（３）に移動可能に係合された支柱（４）に装着されている前記全ての請求項のいずれか１の三脚（１）。
【請求項１０】
前記支持部（５）に装着された前記ヘッド（６）には、三脚（１）が非作用位置に閉じられているときに、前記支柱（４）の軸に対してほぼ直角に方向付けられることができるプレート（７）が設けられている請求項９の三脚（１）。
【発明の詳細な説明】
【技術分野】
【０００１】
主クレームの前文に説明された特徴を有する光学並びに/若しくは写真機材の支持のために特に、しかし非限定的にデザインされた三脚に関する。これに関連して、用語“三脚”は、スパイダーに収束している少なくとも３つの脚部を有する支持部を示しており、この支持部に、三脚は、一端部が枢支されている。
【背景技術】
【０００２】
この特定の技術分野において、運送位置に閉じられているときに特にコンパクトな三脚を提供する必要性が感じられている。
【０００３】
一方、三脚は、作用位置に開いているときに最大に延びることが、同様に必要とされている。これら２つの必要性は、明らかに相反している。
【発明の開示】
【発明が解決しようとする課題】
【０００４】
これら２つの必要性を満たすために、閉じた位置にあるときに最小のディメンションを有する複数のセクション、即ちねじが形成された部分を有する伸縮自在の脚部を有する三脚を実現することが知られている。しかし、各脚部に設けられたねじが形成された部分の数は、技術並びにディメンションの理由と、経済的な理由とによって制限されている。４つ若しくは５つの伸縮自在なセクションを有する脚部は、一般に、通常の技術限度を意味している。閉じた位置にある三脚のディメンションを更に減じるために、ヘッドの支持部をスパイダー中に部分的に収納することを可能にするような配置が設計されている。しかし、このようにして達成され得る更なる効果は、比較的少ない。
【０００５】
請求項１の前文の特徴を有する三脚は、例えば、米国特許第４８８６２３０号に開示に説明されている。
【０００６】
本発明によって考えられる技術的な課題は、既知の技術を参照して示された全ての欠点を克服するように構造並びに機能的に設計され、同時に、閉じた位置でのディメンションを最小にする三脚を提供することである。
【課題を解決するための手段】
【０００７】
この課題は、請求項に従って構成された三脚により、本発明によって解決される。
【０００８】
本発明の効果並びに特徴は、非限定的な例として単に提供された添付図面を参照して与えられている以下の詳細な説明から明らかとなるであろう。
【発明を実施するための最良の形態】
【０００９】
図において、１は、本発明に従って構成された光学並びに/若しくは写真機材の支持のために主に、しかし非限定的に意図された三脚を全体的に示している。
【００１０】
この三脚１は、全てが２で示され、かつスパイダー３に収束している３つの同一の脚部を有しており、このスパイダーの中央には、支柱４が、移動可能に装着されている。この支柱４は、プレート７が設けられたヘッド６用の支持部５を一端に有し、このプレート７上に、機材が、使用時に移動可能に取着されることができる。このプレート７は、図示されていない球形のジョイントによって、ほぼ半球形のスペース内で方向付けられることができる。可能な方向付けの位置の１つは、三脚が閉じた状態にある図２に示された位置であり、この位置は、以下に参照されている。
【００１１】
前記支柱４は、スパイダー３の中央ハブ８内で移動可能に案内され、カラー９を締め付けることによって調節可能な位置に固定されることができる。ヘッド６の反対側で、支柱には、弾性リング１１によって外周が囲まれたディスク形状のストッパー１０が設けられている。
【００１２】
前記スパイダー３は、前記ハブ８からそれぞれ径方向に延び、かつ互いに等しく離間した３つのアーム１２を有しており、これらアームの各々は、ヒンジスリーブ１３を支持している。フォーク部材１５が、管状の長さ部１６によって、対応した脚部２の最も外側のセクション（即ち、部分）１７の自由端部に適合されている(shoed)。このフォーク部材は、ねじ込みピン１４によってスリーブ１３に枢支されている。これらスリーブ１３とフォーク部材１５とは、スパイダー３に対する各脚部２のヒンジ手段とカウンター(counter)手段とをそれぞれ構成している。
【００１３】
前記脚部２は、互いの中に伸縮自在に挿入される複数のセクション、即ち部分１８,１９,２０，並びに２１を有している。これらセクション、即ち部分は、対応したカラーロック２２による相対的な固定を可能にした状態で調節可能な延出によって引き出されることができる。これらカラーロックは、前記支柱４に設けられたカラーロックと機能が同じである。
【００１４】
前記フォーク部材１５の先端部(tines)２３間に、平面２４があり、この平面上に、レバー２５が、ねじ２６によって枢支されている。互いに角度をなしてオフセットされている複数の歯部２７，２８と、自由な長さ部(free length)として以下に称されている筒状の長さ部２９とが、ヒンジスリーブ１３の外側マントルに設けられている。これら歯部２７，２８と、自由な長さ部と、ヒンジピン１４とは、互いに同軸である。
【００１５】
前記レバー２５は、開いた位置にあるときの三脚の外部からアクセス可能な動作付属部３０によって、少なくとも３つの作用位置に移動されることができる。これら作用位置において、ショルダー部３３を支持しているレバーの中間セクションは、歯部２７，２８若しくは自由な長さ部の回動軌道に位置されている。このため、脚部２の回動は、歯部２７，２８用のストッパーとして作用するスパイダー３に制限されるか、前述したショルダー部が筒状の自由な長さ部２９と対向し、かつショルダー部が自由な長さ部に当接していないときに、脚部２は、自身の後方に完全に回動されることができる。レバー２５は、ねじ２６のまわりの面２４とレバーとの間に作用し、かつ図示されていないばねによって、自由な長さ部２９から離れた歯部２７との係合位置に向けて弾性的に付勢されている。
【００１６】
このような構造的並びに機能的な配置の結果、三脚１は、図１の開いた作用位置から、図２に示された最小のディメンションの閉じた作用位置に閉じられることができる。以下の動作は、これら位置の一方から他方への変更のために果たされる。図１の開いた作用位置から始まり、三脚を閉じるために、支柱４が、最大延出の位置に（予想に反して）上げられ、脚部２の部分が、互いに中に伸縮自在に収納され、各脚部のレバー２５が、自由な長さ部２９と対向するようにレバーを位置付けるように移動され、対応した脚部が、ヘッド６用の支持部５の同じ部分に脚部を畳むように９０°を超える角度で回動される。この位置で、スパイダーとヘッドとは、三脚の脚部間に完全に見えなくなり、従って、何らの更なるディメンションを生じさせることはない。
【００１７】
前記プレート７は、三脚の高さを最大にした状態で、閉じた位置でディメンションを全体的にさらに最小にするように、前記支柱に対してほぼ直角に方向付けられることができ、このようにして、支柱４が、脚部の延出長さとほぼ同一の長軸方向の延出長さを有することができる。
【００１８】
逆の動作が、三脚を開くために果たされる。脚部が、スパイダーを中心として回動され、脚部が、ヘッド６の反対側にもたらされ、三脚の開きが、レバー２５を歯部２７，２８に対して適切に位置付けることによって制限される。
【００１９】
明らかに、三脚の脚部が開かれる移動量を決定しているシステムは、本発明の機能に悪影響を与えることなく、今までのところ、図示されたレバーと歯部とのシステムとは全体的に異なることができる。
【００２０】
この三脚の主な効果は、閉じた位置にあるディメンションを減じつつ、開いた作用位置にある実用的な高さを最大にすることにある。これに加えて、三脚は、構造が単純で、軽量で、容易に搬送可能で、わずかな操作で容易に調節可能である。特に、最小のディメンションを妨げることなく、三脚が閉じられているときでさえ、ヘッドをこれの支持部に装着させた状態を維持させることが可能である。
【図面の簡単な説明】
【００２１】
【図１】開いた作用位置（脚部が後退した位置）にある本発明に従った三脚の正面図である。
【図２】閉じた作用位置にある図１の三脚の詳細図である。
【図３】（閉じた位置にある）図２の三脚の詳細な拡大斜視図である。
【図４】異なる作用位置にある図３の細部の斜視図である。
【図５】異なる作用位置にある図３の細部の斜視図である。
【図６】閉じた位置にある前の図の三脚の軸方向断面図である。
【図１】
2007518124.tif 000003
【図２】
2007518124.tif 000004
【図３】
2007518124.tif 000005
【図４】
2007518124.tif 000006
【図５】
2007518124.tif 000007
【図６】
2007518124.tif 000008
【国際調査報告】
2007518124.tif 000009
2007518124.tif 000010
2007518124.tif 000011
2007518124.tif 000012